(57)【要約】【課題】フィルタ回路付きのテレビ端子において、フィルタ回路の切換スイッチの切換位置の確認が簡単かつ的確に行える。【解決手段】端子本体６０の前面に着脱自在に端子台７０を装着し、取付枠等を用いてアウトレットボックス等の開口部にねじ止めする。このテレビ端子５０部分をプレートで覆う。フィルタ切換スイッチ６５を切り換える場合、プレートを取り外し、指等をアウトレットボックス等の開口部に挿入し、テレビ端子５０側に突設されたスイッチノブ６５ａを、所定方向（例えば、壁面方向Ｘに対して手前又は奥等）に切り換えれば、フィルタ回路の切り換えが簡単かつ的確に行える。【選択図】　　　図１
2004007322.tif 000002
【特許請求の範囲】
【請求項１】
前面が露出する状態で取付開口部に埋設され、内部に特定の周波数帯域の信号を遮断するフィルタ回路が収納された筐体と、
前記筐体の前記取付開口部内に位置する所定の箇所に突設された入力端子と、先端部が前記筐体の前面から露出する状態で該筐体に突設され、テレビジョン受信機又は双方向伝送機器が接続されるテレビ接続端子と、
前記筐体の前記取付開口部内に位置する所定の箇所に取り付けられ、前記テレビ接続端子に前記テレビジョン受信機が接続されるときには、前記取付開口部に対して奥又手前の第１の方向にスイッチ操作部が切り換えられて、前記入力端子と前記テレビ接続端子との間に前記フィルタ回路が電気的に接続され、前記テレビ接続端子に前記双方向伝送機器が接続されるときには、前記スイッチ操作部が前記第１の方向とは逆の前記手前又は前記奥の第２の方向に切り換えられて、前記入力端子及び前記テレビ接続端子から前記フィルタ回路が電気的に遮断されるフィルタ切換スイッチと、
を備えたことを特徴とするテレビ端子。
【請求項２】
前面が露出する状態で取付開口部に埋設され、内部に特定の周波数帯域の信号を遮断するフィルタ回路が収納された筐体と、
前記筐体の前記取付開口部内に位置する所定の箇所に突設された入力端子と、
先端部が前記筐体の前面から露出する状態で該筐体に突設され、テレビジョン受信機又は双方向伝送機器が接続されるテレビ接続端子と、
前記筐体の前記取付開口部内に位置する所定の箇所に取り付けられ、前記テレビ接続端子に前記テレビジョン受信機が接続されるときには、スイッチ操作部が第１の方向に切り換えられて、前記入力端子と前記テレビ接続端子との間に前記フィルタ回路が電気的に接続され、前記テレビ接続端子に前記双方向伝送機器が接続されるときには、前記第１の方向とは逆の第２の方向に前記スイッチ操作部が切り換えられて、前記入力端子及び前記テレビ接続端子から前記フィルタ回路が電気的に遮断されるフィルタ切換スイッチと、
前記スイッチ操作部の前記第１又は第２の方向の切換位置の近傍又はこの切換位置に対応する箇所において前記筐体に突設され、触覚でのスイッチ切換位置の識別が可能な識別手段と、
を備えたことを特徴とするテレビ端子。
【請求項３】
前記識別手段は、前記スイッチ操作部の前記第１の方向の切換位置の近傍又はこの切換位置に対応する箇所において前記筐体に突設したことを特徴とする請求項２記載のテレビ端子。
【請求項４】
前記識別手段は、前記切換位置の近傍又は前記切換位置に対応する箇所に突設した突起部で構成したことを特徴とする請求項２又は３記載のテレビ端子。
【請求項５】
前記取付開口部は、壁面の開口部、又は前記壁面に埋設されたボックスの開口部であることを特徴とする請求項１〜４のいずれか１項に記載のテレビ端子。
【請求項６】
前記筐体は、
前記フィルタ回路、前記入力端子、前記テレビ接続端子、及び前記フィルタ切換スイッチが設けられた端子本体用の第１の筐体と、
前記第１の筐体の前面に着脱自在に装着され、前記取付開口部から前記テレビ接続端子の先端部を露出させる端子台用の第２の筐体と、
で構成したことを特徴とする請求項１〜５のいずれか１項に記載のテレビ端子。
【請求項７】
前記筐体は、
前記フィルタ回路、前記入力端子、前記テレビ接続端子、及び前記フィルタ切換スイッチが設けられた端子本体用の第１の筐体と、
前記第１の筐体の前面に着脱自在に装着され、前記取付開口部から前記テレビ接続端子の先端部を露出させる端子台用の第２の筐体とで構成し、
前記第１及び第２の方向は、前記取付開口部の面に対して略平行な方向であり、
前記突起部は、前記第２の筐体において前記切換位置の近傍又は前記切換位置に対応する箇所に突設したことを特徴とする請求項４記載のテレビ端子。
【請求項８】
前記筐体の前記取付開口部内に位置する所定の箇所に、出力端子を突設し、
前記入力端子及び前記出力端子に接続された分岐回路を、前記筐体内に設けたことを特徴とする請求項１〜７のいずれか１項に記載のテレビ端子。
【請求項９】
前記テレビ接続端子及び前記フィルタ切換スイッチは、前記筐体に複数個突設し、
前記入力端子及び前記テレビ接続端子に接続された分岐回路を、前記筐体内に設けたことを特徴とする請求項１〜８のいずれか１項に記載のテレビ端子。
【発明の詳細な説明】
【０００１】
【発明の属する技術分野】
【０００２】
本発明は、ケーブルテレビ（以下「ＣＡＴＶ」という。）システム、テレビ共同受信システム、双方向ＣＡＴＶシステムを利用したインターネットサービスシステム等において、個人の住宅や集合住宅等に設置されてテレビジョン受信機、又はパーソナルコンピュータ（以下「パソコン」という。）等の双方向伝送機器の接続に使用され、特定の周波数帯域を遮断するスイッチ切換式のフィルタ回路を内蔵したテレビ端子に関するものである。
【０００３】
【従来の技術】
【０００４】
図１１（Ａ）、（Ｂ）は従来の１端子型テレビ端子の取付例を示す分解斜視図であり、（Ａ）は全体の斜視図、及び（Ｂ）はテレビ端子内に設けられるフィルタ切換スイッチ部分の斜視図である。
【０００５】
この１端子型テレビ端子１０は、上り帯域阻止用フィルタ回路等が収納された合金製の端子本体１１と、この端子本体１１の前面に取り付けられてこの端子部分を覆う合成樹脂製等の端子台１２とで、構成されている。端子本体１１は、上り帯域阻止用フィルタ回路等が収納された筐体を有し、この筐体の前面（正面）にテレビ接続端子１１ａが突設され、側面に入力端子１１ｂが突設されている。又、筐体の側面には、フィルタ回路を切り換えるためのフィルタ切換スイッチ（例えば、スライドスイッチ）１１ｃのスイッチ操作部（例えば、スイッチノブ）１１ｃ−１が突設されている。
【０００６】
スイッチ１１ｃは、テレビ接続端子１１ａにテレビ受信機を接続し、入力端子１１ｂから入力されるテレビ信号を受信するときに（片方向の伝送信号の利用）、上り帯域阻止用フィルタ回路（例えば、高帯域通過フィルタ、以下、これを「ＨＰＦ」という。）を入力端子１１ｂとテレビ接続端子１１ａとの間に電気的に接続してテレビ信号である高帯域信号を通過させ、又、テレビ接続端子１１ａにパソコン等の双方向伝送機器を接続するときに（双方向の伝送信号の利用）、フィルタ回路を入力端子１１ｂ及びテレビ接続端子１１ａから切り離し、この入力端子１１ｂとテレビ接続端子１１ａを短絡して低帯域信号の伝送を可能にするために、フィルタ回路の投入／遮断を切り換えるために使用するスイッチである。
【０００７】
テレビ接続端子部分を覆う端子台１２は、背面が開口した筐体を有し、この筐体の前面に、背面側に貫通する端子孔１２ａが設けられ、この端子孔１２ａ内にテレビ接続端子１１ａが収容されている。端子台１２の筐体の側面には、取付枠に取り付けるための取付枠係止部１２ｂが設けられている。
【０００８】
このような構造のテレビ端子１０を、例えば、ＣＡＴＶシステム、インターネットサービスシステム等を利用する個人の住宅や集合住宅の加入者宅等の壁内のアウトレットボックス２０に取り付ける場合には、取付枠３０及びプレート４０を使用する。
【０００９】
アウトレットボックス２０は、前面に取付枠固定用の開口部２１が形成され、この開口部２１の周辺の上下に、ねじ孔２２−１，２２−２が形成されている。ねじ孔２２−１，２２−２は、取付枠固定用のねじ２３−１，２３−２を取り付けるための孔である。取付枠３０は、テレビ端子１０を固定するためのものであり、この内側に、テレビ端子固定用の複数個の係止爪３１，３１，…が設けられ、さらに上端部と下端部に、ボックス取付用のねじ取付孔３２−１，３２−２、プレート取付用のねじ孔３３−１，３３−２、木ねじ取付用の取付孔３４−１〜３４−４等が形成されている。
【００１０】
取付枠３０の前面側に取り付けられるプレート４０は、一定の厚みを有し、プレート枠４１と、このプレート枠４１の前面に着脱自在に取り付けられる化粧カバー兼用のプレート本体４２とで構成され、合成樹脂等で形成されている。プレート枠４１の前面側の上下２箇所には、取付枠３０に取り付けるためのねじ４３−１，４３−２のねじ孔が形成され、さらに全周に、複数個のプレート本体取付用の嵌合孔等が形成されている。プレート本体４２の前面には、端子台１２の前面側を露出させるための開口部４２ａが形成され、この開口部４２ａの前面側高さが、端子台１２の前面の高さと略同一になっている。プレート本体４２の背面側には、複数個の嵌合爪が突設され、この嵌合爪をプレート枠４１側の嵌合孔に嵌合することにより、該プレート本体４２をプレート枠４１に着脱自在に固定できるようになっている。
【００１１】
テレビ端子１０を取り付けるときには、まず、このテレビ端子１０の端子台１２を取付枠３０内に挿入し、この取付枠３０内の対向する２つの係合爪３１，３１をかしめる等して端子台１２側の取付枠係止部１２ｂ，１２ｂ内に嵌入し、該テレビ端子１０を取付枠３０に固定する。
【００１２】
そして、レイアウトボックス２０の開口部２１から引き出した入力用同軸ケーブル２４を、Ｆ型接栓２５を用いてテレビ端子１０側の入力端子１１ｂに接続する。テレビ端子１０が固定された取付枠３０を、レイアウトボックス２０の開口部２１に接触させ、この取付枠３０のねじ取付孔３２−１，３２−２に挿入したねじ２３−１，２３−２を、レイアウトボックス２０側のねじ孔２２−１，２２−１にねじ込み、取付枠３０を固定する。
【００１３】
プレート本体４２と分離したプレート枠４１を、取付枠３０に接触させ、該プレート枠４１に取り付けたねじ４３−１，４３−２を取付枠３０側のねじ孔３３−１，３３−２にねじ込み、プレート枠４１を固定する。最後に、プレート本体４２の嵌合爪をプレート枠４１側の嵌合孔に嵌入すれば、このプレート本体４２の前面側が端子台１２の前面とほぼ同一の高さに固定され、取付作業が完了する。
【００１４】
ここで、テレビ端子１０側の端子本体１１に設けられたスイッチ１１ｃは、スイッチノブ１１ｃ−１の近傍に、シール等によって切換方向を示す表示（例えば、テレビジョン受信機使用のための「片方向」あるいは「オン」、双方向伝送機器使用のための「双方向」あるいは「オフ」）がされている。通常、スイッチノブ１１ｃ−１は、片方向にセットされ、テレビ接続端子１１ａにテレビジョン受信機を接続して受信が可能な状態になっている。
【００１５】
パソコン等の双方向伝送機器をテレビ接続端子１１ａに接続して、例えばインターネットサービスを受ける場合には、インターネットサービス業者等により、スイッチ１１ｃの切換作業が必要になる。
【００１６】
スイッチ切換作業では、レイアウトボックス２０に固定されたプレート４０側のプレート本体４２を取り外し、テレビ端子１０を露出させる。テレビ端子１０側の入力端子１１ｂは、端子本体１１の側面の一定箇所に突設され、突出方向が固定されている。このため、テレビ端子１０をアウトレットボックス２０に取り付ける際に、同軸ケーブル２４の引き回し方向等によって該テレビ端子１０の上下の取付方向が一定しないことがある。そこで、露出した端子本体１１側のスイッチノブ１１ｃ−１を手探りで探し、この近傍に表示されたスイッチ切換位置を目視で確認し、双方向側に切り換える。その後、プレート本体４２をプレート枠４１に固定する。
【００１７】
スイッチノブ１１ｃ−１を双方向側に切り換えると、フィルタ回路が入力端子１１ｃ及びテレビ接続端子１１ａから電気的に切り離され、この入力端子１１ｂとテレビ接続端子１１ａが短絡されている。このため、低周波帯域信号を使用するパソコン等の双方向伝送機器をテレビ接続端子１２ａに接続すれば、双方向伝送機器の使用が可能になる。
【００１８】
従来、このような１端子型テレビ端子１０の他に、出力端子を備えてこの出力端子に他のテレビ端子を分岐接続できるようにした直列ユニットといわれるテレビ端子もある。この直列ユニット型のテレビ端子は、端子本体１１内に分岐回路が収納され、出力端子に接続された他のテレビ端子へ、入力端子１１ｂから入力された伝送信号を分岐出力できるようになっている。
【００１９】
このような直列ユニット型のテレビ端子においても、双方向伝送機器の使用が可能なように、フィルタ切換スイッチ１１ｃが端子本体１１の側面等に設けられ、スイッチノブ１１ｃ−１を切り換えるようになっている。この種の直列ユニット型のテレビ端子において、両側面にボックス取付用の取付耳部が設けられたものもあり、このようなテレビ端子では、取付枠３０を使用せずに直接、取付耳部をアウトレットボックス２０にねじ止めし、プレート４０で覆うことができるようになっている。
【００２０】
【発明が解決しようとする課題】
従来の図１１のようなテレビ端子１０、あるいは直列ユニット型のテレビ端子では、アウトレットボックス２０に取り付ける際に、同軸ケーブル２４の配線の引き回し方向等によって、取付方向が上下、左右逆方向に取り付けられることがある。このため、テレビ端子１０をアウトレットボックス２０に設置した後、スイッチ１１ｃを切り換える場合には、手探りでスイッチノブ１１ｃ−１の取付位置を探し、この近傍に表示されたスイッチ切換方向を目視によって確認し、スイッチノブ１１ｃ−１を切り換えていた。
【００２１】
しかしながら、テレビ端子１０の取付場所は、壁面の隅等の視覚的に見にくい場所や、薄暗い場所、あるいは家具等が設置されて物影となることが多い。このため、スイッチ１１ｃを間違えないで切り換えることが大変困難であり、作業性も良くなかった。
【００２２】
本発明は、前記従来技術が持っていた課題を解決し、指等の触覚によりスイッチ切換位置の確認が簡単かつ的確に行え、スイッチ切り換えの作業性を向上できるテレビ端子を提供することを目的とする。
【００２３】
【課題を解決するための手段】
【００２４】
前記課題を解決するために、本発明のうちの請求項１の発明では、テレビ端子において、前面が露出する状態で取付開口部に埋設され、内部に特定の周波数帯域の信号を遮断するフィルタ回路が収納された筐体と、前記筐体の前記取付開口部内に位置する所定の箇所に突設された入力端子と、先端部が前記筐体の前面から露出する状態で該筐体に突設され、テレビジョン受信機又は双方向伝送機器が接続されるテレビ接続端子と、フィルタ切換スイッチとを備えている。
【００２５】
前記フィルタ切換スイッチは、前記筐体の前記取付開口部内に位置する所定の箇所に取り付けられ、前記テレビ接続端子に前記テレビジョン受信機が接続されるときには、前記取付開口部に対して奥又手前の第１の方向にスイッチ操作部が切り換えられて、前記入力端子と前記テレビ接続端子との間に前記フィルタ回路が電気的に接続され、前記テレビ接続端子に前記双方向伝送機器が接続されるときには、前記スイッチ操作部が前記第１の方向とは逆の前記手前又は前記奥の第２の方向に切り換えられて、前記入力端子及び前記テレビ接続端子から前記フィルタ回路が電気的に遮断されるスイッチである。
【００２６】
このような構成を採用したことにより、テレビ接続端子にテレビジョン受信機を接続する場合には、壁面等の取付開口部に対して奥方向又は手前方向の第１の方向に指等でスイッチ操作部を切り換えれば、入力端子とテレビ接続端子との間にフィルタ回路が電気的に接続され、片方向伝送が可能になる。これにより、入力端子から入力されるテレビ信号を、テレビ接続端子に接続されたテレビジョン受信機で受信することができる。又、双方向伝送機器をテレビ接続端子に接続する場合には、第１の方向と逆の手前方向又は奥方向の第２の方向に指等でスイッチ操作部を切り換えれば、入力端子及びテレビ接続端子からフィルタ回路が電気的に遮断される。これにより、双方向伝送機器と、入力端子に接続された伝送線路側との間で、双方向伝送が行える。
【００２７】
請求項２の発明では、テレビ端子において、請求項１と同様のフィルタ回路が収納された筐体、入力端子、及びテレビ接続端子と、請求項１と異なるフィルタ切換スイッチと、識別手段とを備えている。前記フィルタ切換スイッチは、前記筐体の前記取付開口部内に位置する所定の箇所に取り付けられ、前記テレビ接続端子に前記テレビジョン受信機が接続されるときには、スイッチ操作部が第１の方向に切り換えられて、前記入力端子と前記テレビ接続端子との間に前記フィルタ回路が電気的に接続され、前記テレビ接続端子に前記双方向伝送機器が接続されるときには、前記第１の方向とは逆の第２の方向に前記スイッチ操作部が切り換えられて、前記入力端子及び前記テレビ接続端子から前記フィルタ回路が電気的に遮断されるスイッチである。又、前記識別手段は、前記スイッチ操作部の前記第１又は第２の方向の切換位置の近傍又はこの切換位置に対応する箇所において前記筐体に突設され、触覚でのスイッチ切換位置の識別が可能な手段である。
【００２８】
このような構成を採用したことにより、スイッチ操作部の切換位置の近傍又はこの切換位置に対応する箇所に識別手段が設けられているので、指等の触感でスイッチ切換位置の識別が容易に行える。スイッチ切換位置の識別後、スイッチ操作部を第１の方向に切り換えれば、入力端子とテレビ接続端子との間にフィルタ回路が電気的に接続され、テレビ接続端子に接続されたテレビジョン受信機での受信が可能になる。スイッチ操作部を第２の方向に切り換えれば、入力端子及びテレビ接続端子からフィルタ回路が電気的に遮断され、テレビ接続端子に接続された双方向伝送機器を用いた双方向伝送が可能になる。
【００２９】
請求項３の発明では、請求項２の発明において、前記識別手段は、前記スイッチ操作部の前記第１の方向の切換位置の近傍又はこの切換位置に対応する箇所において前記筐体に突設している。これにより、通常の切換位置での第１の方向の切換位置の識別が容易に行える。
【００３０】
請求項４の発明では、請求項２又は３の発明において、前記識別手段は、前記切換位置の近傍又はこの切換位置に対応する箇所に突設した突起部で構成している。これにより、突起部を手掛かりに、指等の触覚だけでスイッチの切換方向の判別が行える。
【００３１】
請求項５の発明では、請求項１〜４のいずれか１項の発明において、前記取付開口部は、壁面の開口部、又は前記壁面に埋設されたボックスの開口部である。
【００３２】
請求項６の発明では、請求項１〜５のいずれか１項の発明において、前記筐体は、前記フィルタ回路、前記入力端子、前記テレビ接続端子、及び前記フィルタ切換スイッチが設けられた端子本体用の第１の筐体と、前記第１の筐体の前面に着脱自在に装着され、前記取付開口部から前記テレビ接続端子の先端部を露出させる端子台用の第２の筐体と、で構成している。これにより、第１と第２の筐体の分離が可能になり、テレビ端子の組み立てや取り付けの容易性、及びスイッチの切り換えの容易化が図れる。
【００３３】
請求項７の発明では、請求項４の発明において、前記筐体は、前記フィルタ回路、前記入力端子、前記テレビ接続端子、及び前記フィルタ切換スイッチが設けられた端子本体用の第１の筐体と、前記第１の筐体の前面に着脱自在に装着され、前記取付開口部から前記テレビ接続端子の先端部を露出させる端子台用の第２の筐体とで構成している。前記第１及び第２の方向は、前記取付開口部の面に対して略平行な方向であり、前記突起部は、前記第２の筐体において前記切換位置の近傍又は前記切換位置に対応する箇所に突設している。これにより、第１及び第２の筐体の設計及び製造の簡易化が図れる。
【００３４】
請求項８の発明では、請求項１〜７のいずれか１項の発明において、前記筐体は、前記フィルタ回路、前記入力端子、前記テレビ接続端子、及び前記フィルタ切換スイッチが設けられた端子本体用の第１の筐体と、前記第１の筐体の前面に着脱自在に装着され、前記取付開口部から前記テレビ接続端子の先端部を露出させる端子台用の第２の筐体と、で構成している。これにより、入力端子から入力された信号は、分岐回路で分岐されて出力端子から出力されるので、直列ユニット型のテレビ端子として使用できる。
【００３５】
請求項９の発明では、請求項１〜８のいずれか１項の発明において、前記テレビ接続端子及び前記フィルタ切換スイッチは、前記筐体に複数個突設し、前記入力端子及び前記テレビ接続端子に接続された分岐回路を、前記筐体内に設けている。これにより、各フィルタ切換スイッチ毎の切り換えが行える。
【００３６】
【発明の実施の形態】
【００３７】
［第１の実施形態］
【００３８】
（構成）
【００３９】
図１（Ａ）、（Ｂ）は本発明の第１の実施形態を示す１端子型テレビ端子の構成図であり、（Ａ）は斜視図、及び（Ｂ）はフィルタ切換スイッチ部分の斜視図である。図２（Ａ）、（Ｂ）は図１のテレビ端子の構成を説明する説明図であり、（Ａ）はテレビ端子の分解斜視図、及び（Ｂ）はテレビ端子の一部を切り欠いた右側面図である。さらに、図３は図１のテレビ端子に収納された上り帯域阻止用フィルタ回路の回路図である。
【００４０】
本実施形態の１端子型テレビ端子５０は、図１及び図２に示すように、上り帯域阻止用フィルタ回路等の回路が収容された合金製等の端子本体６０と、この端子本体６０の前面に着脱自在に取り付けられてこの端子部分を覆う絶縁部材製（例えば、合成樹脂製等）の端子台７０とで、構成されている。
【００４１】
端子本体６０は、フィルタ回路等が収納された第１の筐体６１を有し、この筐体６１の前面に、略円柱状のテレビ接続端子６２が突設され、該筐体６１の側面に、略円柱状の入力端子６３が接続されている。筐体６１の平面（上面）には、端子台７０を装着するための一対の係合突起６４−１，６４−２が突設され、該筐体６１の底面（下面）にも、端子台装着用の一対の係合突起６４−１，６４−２が突設されている。筐体６１の側面の入力端子６３の近くには、フィルタ切換スイッチ（例えば、スライドスイッチ）６５のスイッチ操作部（例えば、スイッチノブ）６５ａが取り付けられている。
【００４２】
スイッチノブ６５ａは、筐体６１の側面に形成された溝状のスライド孔（摺動孔）６６に沿ってスライドするものであり、例えば、図１１のアウトレットボックス２０が埋設される壁面と略平行の筐体６１の前面に対して（即ち、壁面方向Ｘに対して）、略直交方向（スライド方向Ｙ）の第１の方向（例えば、手前方向）と第２の方向（例えば、奥方向）とにスライドし、手前方向に切り換えたときが片方向、奥方向に切り換えたときが双方向に切り換えられるようになっている。この片方向と双方向の切換方向については、スライド孔６６の近傍に、ラベルあるいは刻印等によって表示されている。表示の態様としては、片方向を「オン」、双方向を「オフ」等と表示してもよい。
【００４３】
テレビ接続端子部分を覆う端子台７０は、端子本体６０の前面に接触する背面側が開口された第２の筐体７１を有し、この前面に、略円筒状の端子孔７２が背面方向に突設され、この内部にテレビ接続端子６２が収容されている。筐体７１の上下の背面側には、端子本体６０の前面に当接するフランジ７３，７３がそれぞれ突設されている。
【００４４】
上下のフランジ７３，７３の背面側には、端子本体６０側の係合突起６４−１，６４−２，…と係合するための一対の係合片７４−１，７４−２が背面方向に突設され、この一対の係合片７４−１，７４−２によって、上下から端子本体６０を挾持するようになっている。各係合片７４−１，７４−２には、端子本体６０側の係合突起６４−１，６４−２，…と係合するための溝状の係合孔７５−１，７５−２がそれぞれ形成されている。
【００４５】
上下のフランジ７３，７３の下部付近には、例えば、図９の取付枠４０の係合爪３１，３１を嵌入するための取付枠係止孔７７，７７がそれぞれ形成されている。各フランジ７３，７３の上部の左右２箇所には、他の取付枠に取り付けるための取付枠係止突起７８−１，７８−２がそれぞれ突設されている。
【００４６】
端子本体６０側のスイッチ６５は、図３に示すように、スイッチノブ６５ａに連結された可動接触片６５ｂと、この可動接触片６５ｂと切換接続される複数個の固定端子６５ｃ−１〜６５ｃ−６を有している。図３において、スイッチノブ６５ａを下側（片方向）へスライドさせると、入力端子６３に直流遮断用コンデンサＣ１を介して接続された固定端子６５ｃ−２と、テレビ接続端子６２に直流遮断用コンデンサ６２を介して接続された固定端子６５ｃ−５とが、固定端子６５ｃ−３，６５ｃ−６及びフィルタ回路を介して相互に接続される。スイッチノブ６５ａを上側（双方向）へスライドさせると、入力端子６３にコンデンサＣ１を介して接続された固定端子６５ｃ−２と、テレビ接続端子６２にコンデンサ６２を介して接続された固定端子６５ｃ−５とが、固定端子６５ｃ−１，６５ｃ−４を介して短絡される。これにより、入力端子６３及びテレビ接続端子６２から、フィルタ回路が電気的に切り離されることになる。
【００４７】
フィルタ回路は、特定の周波数帯域（例えば、ケーブルインターネットに使用される低周波帯域）の信号を遮断し、高周波帯域（例えば、テレビ信号に使用される数１０〜数１０００ＭＨｚ）の信号を通過させるＨＰＦであり、インダクタンスコイルＬ及びコンデンサＣからなるＬＣフィルタで構成されている。このＬＣフィルタは、抵抗Ｒ１１〜Ｒ１４、インダクタンスコイルＬ１１〜Ｌ１５、及びコンデンサＣ１１〜Ｃ１９を有し、複数の直列ＨＰＦで構成されて高周波帯域の信号のみを通過させるようになっている。
【００４８】
（取付方法例）
【００４９】
図１等のテレビ端子５０を、例えば、図１１のような取付枠３０及びプレート４０を用いて、壁面に埋設されたアウトレットボックス２０に取り付ける場合を説明する。
【００５０】
まず、図１等のテレビ端子５０を組み立てるには、図２（Ａ）に示すように、端子台７０側の上下の係合片７４−１，７４−２を、端子本体６０の前面の上下端部に位置合わせして接触させ、この端子台７０を端子本体６０へ押し込む。すると、係合片７４−１，７４−２の係合孔７５−１，７５−２，７６−１，７６−２に、端子本体６０側の係合突起６４−１，６４−２，…が嵌入されると共に、上下のフランジ７３，７３の背面側が端子本体６０の前面に当接し、端子台７０が端子本体６０の前面に着脱自在に装着される。
【００５１】
このようにして組み立てられたテレビ端子５０を、従来と同様に、取付枠３０内に挿入し、該取付枠３０の内側の係合爪３１，３１を端子台７０側の取付枠係止孔７７，７７にかしめる等して嵌入し、該取付枠３０に固定する。そして、アウトレットボックス２０の開口部２１から引き出した入力用同軸ケーブル２４を、Ｆ型接栓２５を用いてテレビ端子５０側の入力端子６３に接続する。次に、取付枠３０に固定されたテレビ端子５０を、アウトレットボックス２０の開口部２１内に押し込み、取付枠３０の両端部のねじ取付孔３２−１，３２−２に挿入したねじ２３−１，２３−２を、アウトレットボックス２０側のねじ孔２２−１，２２−２にねじ込み、取付枠３０を固定する。
【００５２】
プレート本体４２と分離したプレート枠４１を、取付枠３０に接触させ、該プレート枠４１に取り付けたねじ４３−１，４３−２を取付枠３０側のねじ孔３３−１，３３−２にねじ込み、プレート枠４１を固定する。最後に、プレート本体４２の係合爪をプレート枠４１側の嵌合孔に嵌合すれば、このプレート本体４２の開口部４２ａ内にテレビ端子１０の前面が挿入され、この前面がプレート本体４２の前面と略同一の高さに固定され、取付作業が完了する。
【００５３】
（動作）
【００５４】
前記の取付時において、スイッチ６５のスイッチノブ６５ａは、通常、壁面方向Ｘに対して手前方向（片方向）に切り換えられている。このため、図３のフィルタ回路が、入力端子６３とテレビ接続端子６２との間に電気的に接続されている。テレビ接続端子６２にテレビジョン受信機を接続すれば、フィルタ回路によって高周波帯域の信号のみが通過可能になるので、入力端子６３から入力される高周波帯域のテレビ信号がフィルタ回路を通過し、テレビ接続端子６２から出力され、テレビジョン受信機で受信が可能となる。
【００５５】
パソコン等の双方向伝送機器を用いた双方向伝送を行う場合には、アウトレットボックス２０に取り付けられたプレート４０側のプレート本体４２を取り外す。そして、例えば、指をプレート枠４１内に挿入し、端子本体６０側に設けられたスイッチノブ６５ａを手探りで探す。スイッチノブ６５ａは端子本体６０の側面から突出しているので、指先の触覚で簡単に見つけることができる。スイッチノブ６５ａは、例えば壁面方向Ｘに対して手前側が片方向になっているので、このスイッチノブ６５ａをスライド方向Ｙに沿って奥方向に押し込めば、該スイッチノブ６５ａが双方向に切り換わる。スイッチ６５の切り換え作業の後、プレート本体４２をプレート枠４１側に取り付ける。
【００５６】
スイッチ切り換え作業により、スイッチノブ６５ａが双方向側に切り換えられると、図３のフィルタ回路が入力端子６３とテレビ接続端子６２から切り離され、該入力端子６３とテレビ接続端子６２がスイッチ６５により短絡される。これにより、入力端子６３とテレビ出力端子６２が直接接続されることになるので、テレビ接続端子６２に接続したパソコン等の双方向伝送機器を用いて、入力端子６３側の伝送線路と双方向のインターネット通信が可能になる。
【００５７】
（効果等）
【００５８】
この第１の実施形態では、次の（ａ）〜（ｃ）のような効果等がある。
【００５９】
（ａ）　スイッチ６５の切換方向を、壁面方向Ｘに対して手前−奥方向（例えば、手前が片方向、奥が双方向）にしている。このため、テレビ端子５０をアウトレットボックス２０に取り付ける際に、同軸ケーブル２４の引き回し等によって取付方向が上下逆方向になっていても、間違えることなくスイッチ６５の切換操作ができる。
【００６０】
例えば、スイッチノブ６５ａの切換方向が壁面方向Ｘに対して左右に摺動させる構成になっていると、上下方向が混在して施工されたスイッチ６５のスライド方向の右又は左方向が統一されないので、スイッチ６５の切換方向を目視による確認等が必要となり、作業性が著しく悪くなる。これに対し、本実施形態では、スイッチノブ６５ａの切換方向を手前−奥方向としているので、テレビ端子５０の上下方向が混在して施工されても、スイッチ切換方向が常に手前−奥方向となるので、比較的に見にくい場所でも、スイッチ切り換えを簡単かつ的確に行え、これによってスイッチ６５の切り換え作業の効率が著しく向上する。
【００６１】
（ｂ）　図１（Ｂ）では、スイッチ６５の切換方向を、壁面方向Ｘに対して手前側を片方向、奥側を双方向としているが、逆に、手前側を双方向、奥側を片方向にしても、実施形態と同様の効果が得られる。
【００６２】
（ｃ）　スイッチ６５を例えばスライドスイッチで構成しているので、スイッチの小型化と高精度化を図ることができる。
【００６３】
［第２の実施形態］
【００６４】
図４は、本発明の第２の実施形態を示す１端子型テレビ端子の構成図であり、第１の実施形態を示す図１〜図３中の要素と共通の要素には共通の符号が付されている。
【００６５】
本実施形態の１端子型テレビ端子５０では、図１等のフィルタ切換スイッチ６５を、端子本体６０の左側面に設け、この左側面を上にして、図１１の取付枠３０を用いてアウトレットボックス２０に固定している。その他の構成は第１の実施形態と同様である。
【００６６】
このようにスイッチ６５のスイッチノブ６５ａが上側になるようにテレビ端子５０を壁面に固定しても、スイッチ６５の切換方向が壁面方向Ｘに対して常に手前−奥方向となるので、第１の実施形態と同様に、間違わずに簡単かつ的確にスイッチ６５の切り換えが行える。
【００６７】
［第３の実施形態］
【００６８】
（構成）
【００６９】
図５（Ａ）、（Ｂ）は本発明の第３の実施形態を示す２端子型テレビ端子の一部を省略した構成図であり、（Ａ）は分解斜視図、（Ｂ）はテレビ端子内のフィルタ切換スイッチ部分の斜視図である。図６は図５（Ａ）を前面から見た正面図、及び図７は図６の組立例を示す説明図である。これらの図面において、第１の実施形態を示す図１〜図３中の要素と共通の要素には共通の符号が付されている。
【００７０】
本実施形態の２端子型テレビ端子８０は、入力端子及び出力端子と２個のテレビ接続端子とを有する直列ユニット型のテレビ端子であり、これに第１の実施形態のフィルタ切換スイッチ６５を設けたものである。
【００７１】
即ち、この２端子型テレビ端子８０は、図３のフィルタ回路の他に分岐回路等が収納された合金製等の端子本体９０と、この端子本体９０の前面に着脱自在に取り付けられてこの端子部分を覆う絶縁部材製（例えば、合成樹脂製等）の端子台１２０とで構成されている。
【００７２】
端子本体９０は、第１の筐体９１を有し、この筐体９１の前面から見て正面に、２個のテレビ接続端子９２−１，９２−２が突設され、該筐体９１の背面側に、入力端子９３−１及び出力端子９３−２が突設されている。筐体９１の前面には、２個のスライド孔９４−１，９４−２が形成されている。各スライド孔９４−１，９４−２は、壁面方向Ｘに延びる溝状をなし、このスライド孔９４−１，９４−２内に、図１と同様のフィルタ切換スイッチ（例えば、スライドスイッチ）６５−１，６５−２のスイッチノブ６５ａ−１，６５ａ−２がスライド可能に突設されている。
【００７３】
各スライド孔９４−１，９４−２は、例えば、壁面方向Ｘに対して下側が片方向、上側が双方向の切換位置になっており、この近傍に切換方向（例えば、「片方向」、「双方向」等）が表示されている。さらに、例えば、片方向の切換位置の近傍に、指先等の触覚でのスイッチ切換位置の識別が可能な識別手段（例えば、突起部）９５−１，９５−２が突設されている。突起部９５−１，９５−２は、略直方体形状をしている。
【００７４】
筐体９１の前面側の両側部には、各種の取付枠を取り付けるための取付枠係止突起９６−１〜９６−４が突設されている。各取付枠係止突起９６−１〜９６−４の近傍には、他の形状の取付枠係止孔９７−１〜９７−４がそれぞれ突設されている。各取付枠係合突起９６−１〜９６−４の背面側には、嵌合溝９８−１〜９８−４が設けられ、これらの嵌合溝９８−１〜９８−４に、合成樹脂製等の取付耳部１１０−１，１１０−２がそれぞれ嵌合されるようになっている。筐体９１の前面の下部側には、端子台１２０側の高さ調整用の複数個の突起１２３のうちの一部を受け入れるための収容孔９９−１，９９−２が形成されている。さらに、筐体９１の前面両側部には、端子台１２０を着脱自在に固定するための溝状あるいはアーム状の端子台係合部１００−１，１００−２が設けられている。
【００７５】
嵌合溝９８−１〜９８−４に嵌合される取付耳部１１０−１，１１０−２は、該嵌合溝９８−１〜９８−４にそれぞれ嵌合する係合爪１１１−１〜１１１−４が設けられている。さらに、各取付耳部１１０−１，１１０−２には、ねじ取付孔１１２−１，１１２−２、ねじ孔１１３−１，１１３−２、及び取付孔１１４−１〜１１４−４が形成されている。
【００７６】
テレビ接続端子部分を覆う端子台１２０は、背面が開口した第２の筐体１２１を有し、この前面の上下２箇所に、略円筒状の端子孔１２２−１，１２２−２が背面方向に突設され、この内部にテレビ接続端子９２−１，９２−２がそれぞれ収容されている。端子台１２０の背面側の開口周縁部には、高さ調整用の複数個の突起１２３が突設され、さらに端子本体９０側の端子台係合部１００−１，１００−２に係合するための高さの高い一対の係合爪１２４と、高さの低い一対の係合爪１２５とが、両側面箇所に突設されている。端子台１２０は、係合爪１２４，１２５によって端子本体９０の前面に着脱自在に装着され、複数個の突起１２３によって高さ調整可能な構造になっている。
【００７７】
（取付方法例）
【００７８】
図５等のテレビ端子８０を、例えば、図１１のようなプレート４０を用いて、アウトレットボックス２０の開口部２１に取り付ける場合を説明する。
【００７９】
まず、図５等のテレビ端子８０を組み立てるには、図７に示すように、取付耳部１１０−１、１１０−２の係合爪１１１−１〜１１１−４を端子本体９０側の嵌合溝９８−１〜９８−４へ押し込むと、該取付耳部１１０−１，１１０−２が嵌合溝９８−１〜９８−４を挾持した状態で固定される。
【００８０】
端子台１２０の背面側を位置決めして端子本体９０の前面に押し付ける。すると、図７の一点鎖線で示すように、端子台１２０側の複数個の突起１２３の一部が、端子本体９０の前面に当接せずにそのまま押し込まれると共に、他の２個の突起１２３，１２３が、端子本体９０側の収容孔９９−１，９９−２に挿入され、該端子台１２０の背面側の開口周縁部が端子本体９０の前面に当接する。この際、端子台１２０側の高さの高い係合爪１２４，１２４は、端子本体９０の前面に係合せずにそのまま押し込まれるが、高さの低い係合爪１２５，１２５は、端子本体９０側の端子台係合部１００−１，１００−２内に挿入されて係合する。これにより、端子台１２０は、低い高さで端子本体９０の前面に固定される。
【００８１】
プレート４０として厚さの大きいものを使用する場合には、図７の２点鎖線で示すように、端子台１２０を上下に１８０°回転させて端子本体９０の前面に押し付ける。すると、位置が変わった端子台１２０側の複数個の突起１２３が端子本体９０の前面に突設する。この際、位置が変わった高さの低い係合爪１２５，１２５は、端子本体９０の前面に係合せずにそのまま押し込まれるが、位置が変わった高さの高い係合爪１２４，１２４が、端子本体９０側の端子台係合部１０１，１０２内に挿入されて係合する。このため、端子台１２０は、１段高い高さで端子本体９０の前面に固定される。
【００８２】
このように端子台１２０を端子本体９０に装着する際には、予め、端子本体９０の前面に突設されたスイッチノブ６５ａ−１，６５ａ−２を突起部９５−１，９５−２方向に切り換えておく。突起部９５−１，９５−２は、スライド孔９４−１，９４−２の片方向の近傍に突設されているので、この突起部９５−１，９５−２を目安にスイッチノブ６５ａ−１，６５ａ−２を切り換えれば、端子本体９０内に設けられた図３のフィルタ回路が、入力端子９３−１とテレビ接続端子９２−１，９２−２との間に接続される。
【００８３】
次に、組み立てられたテレビ端子８０を、図１１のレイアウトボックス２０に取り付けるには、第１の実施形態と同様に、アウトレットボックス２０の開口部２１から引き出した入力用同軸ケーブル２４と図示しない出力用同軸ケーブルを、Ｆ型接栓２５，２５を用いて端子本体９０側の入力端子９３−１及び出力端子９３−２にそれぞれ接続する。
【００８４】
実施形態のテレビ端子８０では、図１１の取付枠３０に代えて、端子本体９０の両端部に取付耳部１１０−１，１１０−２が着脱自在に取り付けられているので、この取付耳部１１０−１，１１０−２のねじ取付孔１１２−１，１１２−２を、アウトレットボックス２０側のねじ孔２２−１，２２−２にねじ止めする。そして、取付耳部１１０−１，１１０−２側のねじ孔１１３−１，１１３−２に、プレート枠４１をねじ止めし、このプレート枠４１にプレート本体４２を嵌合すれば、プレート本体４２の開口部４２ａから端子台１２０の前面が露出した状態で、固定され、取り付け作業が完了する。
【００８５】
（動作）
【００８６】
テレビ端子８０をアウトレットボックス２０に固定する際には、予め、スイッチ６５−１，６５−２が片方向側に切り換えられている。このため、端子本体９０内に設けられたフィルタ回路が、入力端子９３−１に接続されると共に、このフィルタ回路が、図示しない分岐回路を介してテレビ接続端子９２−１，９２−２に接続されている。このため、テレビ接続端子９２−１，９２−２にテレビ受信機を接続すれば、入力端子９３−１から入力された高周波帯域のテレビ信号が、フィルタ回路を通り、分岐回路で分岐されてテレビ接続端子９２−１，９２−２から出力され、テレビ信号の受信が行える。又、入力されたテレビ信号は、そのまま出力端子９３−２から出力され、他のテレビ端子へ伝送される。
【００８７】
テレビ接続端子９２−１，９２−２にパソコン等の双方向伝送機器を接続して、双方向伝送を行う場合には、プレート本体４２を取り外し、プレート枠４１を介して端子台１２０を端子本体９０から取り外す。すると、壁面から端子本体９０の前面が露出するので、スイッチノブ６５ａ−１，６５ａ−２を、突起部９５−１，９５−２とは反対方向の双方向側へ切り換える。すると、内部のフィルタ回路が入力端子９３−１及びテレビ接続端子９２−１，９２−２から切り離されるので、テレビ接続端子９２−１，９２−２に接続した双方向伝送機器を用いて、入力端子９３−１に接続された伝送線路側との双方向伝送が行える。２個のテレビ接続端子９２−１，９２−２のいずれか一方のみを双方向伝送に使用する場合には、いずれか一方のスイッチノブ６５ａ−１又は６５ａ−２を双方向側に切り換えれば良い。
【００８８】
（効果等）
【００８９】
この第３の実施形態では、次の（ａ）〜（ｃ）のような効果等がある。
【００９０】
（ａ）　第１の実施形態の効果と同様に、アウトレットボックス２０内の同軸ケーブル２４，…の引き回し等により、テレビ端子８０が上下逆方向に取り付けられて、スイッチ６５−１，６５−２のスライド方向が上下逆方向になっていても、突起部９５−１，９５−２を手掛かりに、指等の触覚だけで切換方向を判別できる。従って、簡単かつ的確に切換スイッチ６５−１，６５−２の切り換え作業が行え、切り換えの作業性を著しく向上できる。
【００９１】
（ｂ）　図５（Ｂ）に示すスイッチ６５−１，６５−２の切換方向は、片方向と双方向を上下逆に変えても良い。又、スイッチ６５−１，６５−２の取付位置は、端子本体９０の前面に限らず、側面等の他の位置に設けても良い。
【００９２】
（ｃ）　端子本体９０に着脱自在に取付耳部１１０−１，１１０−２が着脱自在に取り付けられているので、図９のような取付枠３０を使用しなくても、この取付耳部１１０−１，１１０−２を用いてアウトレットボックス２０にねじ止めできる。
【００９３】
［第４の実施形態］
【００９４】
図８（Ａ）、（Ｂ）は本発明の第４の実施形態を示すフィルタ切換スイッチ部分の斜視図である。
【００９５】
図８（Ａ）では、スイッチ６５−１，６５−２側のスイッチノブ６５ａ−１，６５ａ−２の片方向側の近傍に設けられた突起部９５Ａ，９５Ａの形状が、第３の実施形態のものと異なっている。この突起部９５Ａ，９５Ａでは、断面がほぼ台形状をなし、図５（Ｂ）のものよりも形状が大きくなっている。このように突起部９５Ａ，９５Ａを大きくすれば、スイッチノブ６５ａ−１，６５ａ−２付近に何らかの外力が加わっても、大きな突起部９５Ａ，９５Ａによってストッパ機能が発揮され、該スイッチノブ６５ａ−１，６５ａ−２が片方向側から動いてしまうことを防止できる。
【００９６】
図８（Ｂ）では、片方向側に切り換えられたスイッチノブ６５ａ−１，６５ａ−２の後ろ側に、突起部９５Ｂ，９５Ｂが設けられている。突起部９５Ｂ，９５Ｂをこのような位置に設けた場合、大きさをそれほど大きくすることなく、スイッチノブ６５ａ−１，６５ａ−２付近に働く外力に対してストッパ機能を発揮でき、該スイッチノブ６５ａ−１，６５ａ−２の移動を防止することができる。
【００９７】
このように、突起部９５Ａ，９５Ｂは、スイッチノブ６５ａ−１，６５ａ−２の近傍であれば、種々の形状や配置形態に変更できる。
【００９８】
［第５の実施形態］
【００９９】
（構成）
【０１００】
図９（Ａ）、（Ｂ）は本発明の第５の実施形態を示す１端子型テレビ端子の構成図であり、（Ａ）は入力端子側の斜視図、及び（Ｂ）は（Ａ）の裏側の斜視図である。これらの図面において、第１の実施形態を示す図１〜図３中の要素と共通の要素には共通の符号が付されている。
【０１０１】
本実施形態の１端子型テレビ端子５０では、例えば、図１の端子本体６０側の合金製等の第１の筐体６１の側面に、壁面方向Ｘに延びる溝状のスライド孔６６が形成され、このスライド孔６６からスライドスイッチ６５のスイッチノブ６５ａが突出している。スイッチノブ６５ａは、スライド孔６６に沿ってスライドするものであり、壁面方向Ｘの第１の方向（例えば、図９（Ａ）の左方向）と第２の方向（例えば、図９（Ａ）の右方向）とにスライドし、左方向に切り換えたときが片方向、右方向に切り換えたときが双方向に切り換えられるようになっている。
【０１０２】
第１の筐体６１に着脱自在に取り付けられる端子台７０側の合成樹脂製等の第２の筐体７１において、この背面側開口端部のスライドスイッチ６５側には、指先等の触覚でのスイッチ切換位置の識別が可能な識別手段（例えば、突起部）９５Ｃ−１が突設されている。突起部９５Ｃ−１は、スイッチノブ６５ａに近い位置（例えば、数ｍｍ程度離れた位置）に設けられている。突起部９５Ｃ−１と対向する筐体７１の他の開口端部側にも、この突起部９５Ｃ−１と同様の機能を有する突起部９５Ｃ−２が突設されている。この一対の突起部９５Ｃ−１，９５Ｃ−２は、例えば、合成樹脂を用いたモールド成形等により、筐体７１、端子孔７２及びフランジ７３，７３等と共に一体形成されている。各突起部９５Ｃ−１，９５Ｃ−２の近傍の筐体７１の両側面には、スライドスイッチ６５の切換方向（例えば、「片方向」、「双方向」等）が表示されている。
【０１０３】
その他の構成は第１の実施形態と同様である。
【０１０４】
（取付方法例）
【０１０５】
図９のテレビ端子５０は、第１の実施形態と同様に、例えば、図１１のような取付枠３０及びプレート４０を用いて、壁面に埋設されたアウトレットボックス２０に取り付けられる。
【０１０６】
（動作）
【０１０７】
前記の取付時において、スイッチ６５のスイッチノブ６５ａは、通常、図９（Ａ）の壁面方向Ｘに対して左方向（片方向）に切り換えられている。このため、第１の実施形態と同様に、図３のフィルタ回路が、入力端子６３とテレビ接続端子６２との間に電気的に接続されているので、テレビ接続端子６２にテレビジョン受信機を接続すれば、テレビジョン受信機で受信が可能となる。
【０１０８】
パソコン等の双方向伝送機器を用いた双方向伝送を行う場合には、第１の実施形態と同様に、アウトレットボックス２０に取り付けられたプレート４０側のプレート本体４２を取り外す。そして、例えば、指をプレート枠４１内に挿入し、端子本体６０側のスイッチノブ６５ａ及び端子台７０側の突起部９５Ｃ−１，９５Ｃ−２を手探りで探す。スイッチノブ６５ａは端子本体６０の側面から突出し、さらに、突起部９５Ｃ−１，９５Ｃ−２が端子台７０の背面側開口端部から突出しているので、これらを指先の触覚で簡単に見つけることができる。
【０１０９】
スイッチノブ６５ａは、例えば、図９（Ａ）の壁面方向Ｘに対して左側が片方向になっているので、このスイッチノブ６５ａを右側へ移動させれば、該スイッチノブ６５ａが双方向に切り換わる。すると、図３のフィルタ回路が入力端子６３とテレビ接続端子６２から切り離されるので、テレビ接続端子６２に接続したパソコン等の双方向伝送機器を用いて、入力端子６３側の伝送線路と双方向のインターネット通信が可能になる。
【０１１０】
（効果等）
【０１１１】
この第５の実施形態では、次の（ａ）〜（ｃ）のような効果等がある。
【０１１２】
（ａ）　第１の実施形態の効果と同様に、アウトレットボックス２０内の同軸ケーブル２４，・・・の引き回し等により、テレビ端子５０が上下逆方向に取り付けられて、スイッチ６５のスライド方向が左右逆方向になっていても、突起部９５Ｃ−１，９５Ｃ−２を手掛かりに、指等の感触だけで切換方向を判別できる。従って、簡単かつ的確に切換スイッチ６５の切り換え作業が行え、切り換えの作業性を著しく向上できる。
【０１１３】
（ｂ）　図９（Ａ）では、スイッチ６５の切換方向を、壁面方向Ｘに対して左側を片方向、右側を双方向としているが、逆に、左側を双方向、右側を片方向にしても、第１の実施形態と同様の効果が得られる。しかも、スイッチ６５を、例えばスライドスイッチで構成しているので、スイッチの小型化と高精度化を図ることができる。
【０１１４】
（ｃ）　スイッチ切換方向を示す一対の突起部９５Ｃ−１，９５Ｃ−２を合成樹脂製等の端子台７０に設けたので、突起部９５Ｃ−１，９５Ｃ−２を合金製等の端子本体６０側に設ける場合に比べて、この端子本体６０の設計及び製造が簡単になる。しかも、端子台７０側の筐体７１及び突起部９５Ｃ−１，９５Ｃ−２等を、合成樹脂を用いたモールド成形等によって一体形成でき、これらの設計及び製造がより簡単になる。なお、一対の突起部９５Ｃ−１，９５Ｃ−２に代えて、例えば、片側の突起部９５Ｃ−１又は９５Ｃ−２だけ設けても良い。
【０１１５】
［第６の実施形態］
【０１１６】
（構成）
【０１１７】
図１０（Ａ）、（Ｂ）、（Ｃ）は本発明の第６の実施形態を示す１端子型テレビ端子の構成図であり、（Ａ）は正面図、（Ｂ）は平面図、及び（Ｃ）は左側面図である。これらの図面において、第１の実施形態を示す図１〜図３、及び第５の実施形態を示す図９中の要素と共通の要素には共通の符号が付されている。
【０１１８】
本実施形態の１端子型テレビ端子５０Ａは、入力端子及び出力端子と１個のテレビ接続端子とを有する直列ユニット型のテレビ端子であり、これに第１の実施形態のフィルタ切換スイッチ６５と、第５の実施形態のスイッチ切換方向を示す一対の突起部９５Ｃ−１，９５Ｃ−２とを設けたものである。
【０１１９】
即ち、この１端子型テレビ端子５０Ａは、図３のフィルタ回路の他に分岐回路等が収納された端子本体６０Ａと、この端子本体６０Ａの前面に着脱自在に取り付けられてこの端子部分を覆う図９と同様の端子台７０とで構成されている。
【０１２０】
端子本体６０Ａは、合金製等の第１の筐体６１Ａを有し、この筐体６１Ａの前面から見て正面に、１個のテレビ端子６２が突設され、該筐体６１Ａの平面側に、入力端子６３−１及び出力端子６３−２が突設されている。筐体６１Ａの平面には、図９と同様に、スライドスイッチ６５がスライド可能に突設されている。端子台７０は、図９と同様の構成であり、合成樹脂製等の第２の筐体７１を有し、この筐体７１にスイッチ切換方向を示す一対の突起部９５Ｃ−１，９５Ｃ−２が設けられている。
【０１２１】
その他の構成は、第１及び第５の実施形態と同様である。
【０１２２】
（取付方法例）
【０１２３】
図１０のテレビ端子５０Ａは、第５の実施形態と同様に、例えば、図１１のような取付枠３０及びプレート４０を用いて、壁面に埋設されたアウトレットボックス２０に取り付けられる。
【０１２４】
（動作）
【０１２５】
テレビ端子５０Ａを、例えば図１１のアウトレットボックス２０に固定する際には、予め、スイッチ６５が片方向側に切り換えられている。このため、端子本体６０Ａ内に設けられたフィルタ回路が、入力端子６３−１に接続されると共に、このフィルタ回路が、図示しない分岐回路を介してテレビ接続端子６２に接続されている。テレビ接続端子６２にテレビ受信機を接続すれば、入力端子６３−１から入力された高周波帯域のテレビ信号が、フィルタ回路を通り、分岐回路で分岐されてテレビ接続端子６２から出力され、テレビ信号の受信が行える。又、入力されたテレビ信号は、そのまま出力端子６３−２から出力され、他のテレビ端子へ伝送される。
【０１２６】
テレビ接続端子６２にパソコン等の双方向伝送機器を接続して、双方向伝送を行う場合には、第５の実施形態と同様に、アウトレットボックス２０に取り付けられたプレート４０側のプレート本体４２を取り外す。そして、例えば、指をプレート枠４１内に挿入し、端子本体６０Ａ側のスイッチノブ６５ａ及び端子台７０側の突起部９５Ｃ−１，９５Ｃ−２を手探りで探す。スイッチノブ６５ａは端子本体６０Ａの平面から突出し、さらに、突起部９５Ｃ−１，９５Ｃ−２が端子台７０の背面側開口端部から突出しているので、これらを指先の触覚で簡単に見つけることができる。
【０１２７】
スイッチノブ６５ａは、例えば、図１０（Ｂ）の壁面方向Ｘに対して左側が片方向になっているので、このスイッチノブ６５ａを右側へ移動させれば、該スイッチノブ６５ａが双方向に切り換わる。すると、内部のフィルタ回路が入力端子６３−１及びテレビ接続端子６２から切り離されるので、テレビ接続端子６２に接続した双方向伝送機器を用いて、入力端子６３−１に接続された伝送線路側との双方向伝送が行える。
【０１２８】
（効果等）
【０１２９】
この第６の実施形態では、第５の実施形態の（ａ）〜（ｃ）の効果等と略同様の効果等がある。
【０１３０】
［変形例］
【０１３１】
本発明では、上記実施形態に限定されず、種々の変形が可能である。この変形例としては、例えば、次の（ｉ）〜（ｉｖ）のようなものがある。
【０１３２】
（ｉ）　図１、図５、図９、図１０等のフィルタ切換スイッチ６５，６５−１，６５−２は、スイッチノブ６５ａ，６５ａ−１，６５ａ−２を他の形状に変更したり、又、図５、図９、図１０等の突起部９５−１，９５−２，９５Ａ，９５Ｂ，９５Ｃ−１，９５Ｃ−２を、他の形状や配置位置に変更しても良い。例えば、各突起部９５−１，９５−２，９５Ａ，９５Ｂ，９５Ｃ−１，９５Ｃ−２を複数個の突起で構成したり、各突起部９５−１，９５−２，９５Ａ，９５Ｂをスライド孔９４−１，９４−２の両側に設けたり、あるいは突起部９５Ｃ−１，９５Ｃ−２を筐体７１の平面等に突設しても良い。又、フィルタ切換スイッチ６５，６５−１，６５−２は、スライドスイッチ以外の他のスイッチで構成しても良い。
【０１３３】
（ｉｉ）　図３のフィルタ回路は、他のフィルタ回路で構成しても良い。
【０１３４】
（ｉｉｉ）　図１や図４のスイッチ６５の近傍に、図５や図８のような突起部９５−１，９５−２，９５Ａ，９５Ｂを設ければ、両実施形態の相乗効果が得られる。
【０１３５】
（ｉｖ）　図１や図４の１端子型テレビ端子５０に、図１０のような出力端子６３−２を設けたり、あるいは図１、図４、図９、図１０のテレビ端子５０，５０Ａにおけるテレビ接続端子６２の数を増やす等しても良い。同様に、図５等の２端子型テレビ端子８０に、テレビ接続端子９２−１，９２−２を３端子以上設けても良い。
【０１３６】
【発明の効果】
【０１３７】
以上詳細に説明したように、請求項１の発明によれば、テレビ接続端子にテレビジョン受信機が接続されるときには、取付開口部に対して奥又は手前の第１の方向にフィルタ切換スイッチのスイッチ操作部が切り換えられ、テレビ接続端子に双方向伝送機器が接続されるときには、該スイッチ操作部が第１の方向とは逆の手前又は奥の第２の方向に切り換えらえるようにしたので、テレビ端子の設置方向が上下逆方向になっていても、取付開口部に対して奥−手前の方向にスイッチの切換方向が位置しているので、取付方向が上下左右に混在している場合にも、間違えずにスイッチの切換操作を行うことができる。特に、テレビ端子が視覚的に見にくい場所に取り付けられていても、目視によるスイッチ切換方向の確認等が不要となり、簡単かつ的確にスイッチを切り換えることができ、作業性が著しく向上する。
【０１３８】
請求項２の発明によれば、テレビ接続端子にテレビジョン受信機が接続されるときには、フィルタ切換スイッチの操作部が第１の方向に切り換えられ、テレビ接続端子に双方向伝送機器が接続されるときには、フィルタ切換スイッチが前記第１の方向とは逆に第２の方向にスイッチ操作部が切り換えられるようにしたので、請求項１の発明と同様の効果が得られる。しかも、第１又は第２の方向の切換位置の近傍又はこの切換位置に対応する箇所に、触覚でのスイッチ切換位置の識別可能な識別手段を設けたので、テレビ端子が上下左右に異なった方向に取り付けられていても、スイッチの切換方向を目視によって確認することが不要となり、指先等の触覚でスイッチ切換位置を的確に識別できる。
【０１３９】
請求項３の発明によれば、識別手段を第１の方向の切換位置の近傍又はこの切換位置に対応する箇所に突設したので、テレビ端子の取付方向が種々異なっても、簡単に第１の方向の切換位置の識別が可能になる。
【０１４０】
請求項４の発明によれば、識別手段を突起部で構成したので、この突起部を手掛かりに、指先等の触覚だけで簡単かつ的確にスイッチ切換方向の判別ができる。
【０１４１】
請求項５の発明によれば、取付開口部が、壁面の開口部、又は壁面に埋設されたボックスの開口部である場合、この開口部内が薄暗くて見づらく、しかも空間が狭いにもかかわらず、指先等でスイッチを的確に切り換えることができる。
【０１４２】
請求項６の発明によれば、第１の筐体とこれに着脱自在に装着される第２筐体とでテレビ端子を構成する筐体を構成したので、テレビ端子の組立時や取付時あるいはスイッチ切換時において、両者を分離することにより容易に作業が行える。
【０１４３】
請求項７の発明によれば、第２の筐体に突起部を設けたので、第１の筐体に突起部を設ける必要がなく、この第１の筐体の設計及び製造が簡単になる。しかも、第２の筐体及び突起部を、例えば合成樹脂を用いたモールド成形等によって一体形成するような構造にすれば、これらの設計及び製造がより簡単になる。
【０１４４】
請求項８の発明によれば、テレビ端子に出力端子を設けたので、直列ユニットとして使用することができる。
【０１４５】
請求項９の発明によれば、テレビ接続端子及びフィルタ切換スイッチを複数個設けたので、各テレビ接続端子毎にスイッチの切り換えが可能になり、使い勝手が向上する。
【図面の簡単な説明】
【図１】本発明の実施形態を示す１端子型テレビ端子の構成図であり、（Ａ）は斜視図、及び（Ｂ）はフィルタ切換スイッチ部分の斜視図である。
【図２】図１のテレビ端子の構成を説明する説明図であり、（Ａ）はテレビ端子の分解斜視図、及び（Ｂ）はテレビ端子の一部を切り欠いた右側面図である。
【図３】図１のテレビ端子に収納された上り帯域阻止用フィルタ回路の回路図である。
【図４】本発明の第２の実施形態を示す１端子型テレビ端子の構成図である。
【図５】本発明の第３の実施形態を示す２端子型テレビ端子の構成図であり、（Ａ）は分解斜視図、及び（Ｂ）はテレビ端子内のフィルタ切換スイッチ部分の斜視図である。
【図６】図５（Ａ）の正面図である。
【図７】図６の組立例を示す斜視図である。
【図８】本発明の第４の実施形態を示すフィルタ切換スイッチ部分の斜視図である。
【図９】本発明の第５の実施形態を示す１端子型テレビ端子の構成図であり、（Ａ）は入力端子側の斜視図、及び（Ｂ）は（Ａ）の裏側の斜視図である。
【図１０】本発明の第６の実施形態を示す１端子型テレビ端子の構成図であり、（Ａ）は正面図、（Ｂ）は平面図、及び（Ｃ）は左側面図である。
【図１１】従来の１端子型テレビ端子の取付例を示す分解斜視図であり、（Ａ）は全体の斜視図、及び（Ｂ）はフィルタ切換スイッチ部分の斜視図である。
【符号の説明】
２０　　アウトレットボックス
２１　　開口部
２４　　同軸ケーブル
３０　　取付枠
４０　　プレート
５０，５０Ａ　　１端子型テレビ端子
６０，６０Ａ，９０　　端子本体
６１，６１Ａ，７１，９１，１２１　　筐体
６２，９２−１，９２−２　　テレビ接続端子
６３，６３−１，９３−１　　入力端子
６３−２，９３−２　　出力端子
６４−１，６４−２　　係合突起
６５，６５−１，６５−２　　フィルタ切換スイッチ
６５ａ，６５ａ−１，６５ａ−２　　スイッチノブ
６６，９４−１，９４−２　　スライド孔
７０，１２０　　端子台
７２，１２２−１，１２２−２　　端子孔
７４−１，７４−２　　係合片
７５−１，７５−２，７６−１，７６−２　　係合孔
８０　　２端子型テレビ端子
９５−１，９５−２，９５Ａ，９５Ｂ，９５Ｃ−１，９５Ｃ−２　　突起部
１０１−１０２　　端子台係合部
１１０−１，１１０−２　　取付耳部
１２３　　突起
１２４，１２５　　係合爪
【図１】
2004007322.tif 000003
【図２】
2004007322.tif 000004
【図３】
2004007322.tif 000005
【図４】
2004007322.tif 000006
【図５】
2004007322.tif 000007
【図６】
2004007322.tif 000008
【図７】
2004007322.tif 000009
【図８】
2004007322.tif 000010
【図９】
2004007322.tif 000011
【図１０】
2004007322.tif 000012
【図１１】
2004007322.tif 000013